(57)【要約】      （修正有）【課題】スキー板又はスノーボード等の雪上滑走具を用いて雪上滑走技能を獲得するための雪上滑走スポーツ訓練装置を提供する。【解決手段】仮想滑走領域１ｄと、仮想滑走領域の中心部１ｃから放射方向に設けられた複数のリードロープ固定手段と、仮想滑走領域の中心部に登板する訓練者４の胴部周りに捲かれたリードロープ取付けベルト６と、リードロープ固定手段とリードロープ取付けベルトに固定される複数本のリードロープとを有し、仮想滑走領域を構成する表層は、滑り抵抗と平面方向及び厚み方向の弾性復元力が大きい疑似雪面部材１ｂで構成され、訓練者は雪上滑走板５を履き、自らの体重移動で雪上滑走板のエッジを立てるカービング及び停止の訓練に伴う体重移動による姿勢傾斜を複数本のリードロープで保持すると共に、疑似雪面部材は、エッジを立てることによる当該エッジが疑似雪面部材に喰い込む雪面での現象と同様の疑似雪面圧縮溝を形成する。【選択図】図１
2019013568.tif 000002
【特許請求の範囲】
【請求項１】
雪上滑走スポーツ訓練装置であって、
仮想滑走領域を形成する表層を有する床部（１）と、
前記仮想滑走領域（１ｄ）の中心部（１ｃ）を囲み、当該中心部（１ｃ）から放射方向外側に設けられた複数のリードロープ固定手段（２ａ〜２ｄ）と、
前記仮想滑走領域（１ｄ）の中心部（１ｃ）に登板する訓練者（４）の胴部周りに捲かれたリードロープ取付けベルト（６）と、
前記リードロープ固定手段（２ａ〜２ｄ）のそれぞれに一端が固定され、他端が前記リードロープ取付けベルト（６）に固定されたゴム弾性を持つ複数本のリードロープ（７ａ〜７ｄ）を有し、
前記仮想滑走領域（１ｄ）を形成する表層は、滑り抵抗と平面方向及び厚み方向の弾性復元力が大きい疑似雪面部材（１ｂ）で構成されており、
前記訓練者（４）は雪上滑走板（５）を履き、訓練の初期状態では前記仮想滑走領域（１ｄ）の前記疑似雪面部材（１ｂ）に滑走面を接した立ち姿勢であり、
前記訓練者（４）の自らの体重移動で前記疑似雪面部材（１ｂ）に対して前記雪上滑走板（５）のエッジ（５ａ）を立てるカービング訓練及び／又は停止訓練に伴う前記体重移動による姿勢傾斜を前記複数本のリードロープ（７ａ〜７ｄ）の弾性力で保持すると共に、前記疑似雪面部材（１ｂ）は、前記エッジ（５ａ）を立てることによる当該エッジ（５ａ）が前記疑似雪面部材（１ｂ）に喰い込む雪面での現象と同様の疑似雪面圧縮溝（１１）を形成することを特徴とする雪上滑走スポーツ訓練装置。
【請求項２】
前記リードロープ（７ａ〜７ｄ）は、弾性紐材（７２ａ〜７２ｄ）に長さ調整部材（７１ａ〜７１ｄ）を直列接続してなり、前記リードロープ（７ａ〜７ｄ）の長さを前記長さ調整部材（７１ａ〜７１ｄ）で調整することを特徴とする請求項１に記載の雪上滑走スポーツ訓練装置。
【請求項３】
前記床部（１）の平面視は、前記訓練者（４）の訓練運動の範囲に支障を及ぼさない面積の略矩形状であり、前記リードロープ固定手段（２ａ〜２ｄ）は、前記略矩形状の床部（１）の外周部に植立された柱状材であることを特徴とする請求項１又は２に記載の雪上滑走スポーツ訓練装置。
【発明の詳細な説明】
【技術分野】
【０００１】
本発明は、雪上滑走技能を正しく取得するための訓練装置に係り、特に、スキー板又はスノーボード等の雪上滑走具を用いて雪上滑走技能を獲得するための雪上滑走スポーツ訓練装置に関する。
【背景技術】
【０００２】
スポーツ訓練のための様々な用具や機器が提案され、あるいは実際に使用されている。例えば、スキーやスノーボードなどの雪上滑走スポーツ訓練装置として、このような従来技術として特許文献１に開示されたトレーニング装置がある。このトレーニング装置は、貴台の上に訓練者の疑似走行方向に対して横方向にスライド可能で中央部に付記する如くスプリングで支持された移動台を設けている。この移動台にスノーボードなどの雪上滑走具を足に装着した訓練者が乗り、体重移動で雪上滑走具を左右にスライドさせることで仮想訓練を行うものである。
【０００３】
また、特許文献２は、上方に膨らんだ一対の円弧状レール上にスプリングで復元力が付与されて支持された足乗せ台を設け、足乗せ台に乗った訓練者が円弧状レール上で移動するようにしたスキー練習装置を開示する。
【０００４】
そして、スノーボード（あるいはスキー板）の下面に、進行方向からみて下に凸状の形状を有する弾性体で形成した練習具を取り付けて、スノーボードなどのターンの感覚、板の撓む感覚を体験できるようにした練習具が特許文献３に開示されている。
【先行技術文献】
【特許文献】
【０００５】
【特許文献１】特開２０１４−１０８３２１号公報
【特許文献２】特開平０６−９１０２８号公報
【特許文献３】特開２００２−２３９０５０号公報
【発明の概要】
【発明が解決しようとする課題】
【０００６】
前記した先行技術に開示されているように、スキーやスノーボードの練習具あるいは装置は足の動きを実際の滑走フォームに近似させようとする努力は認められる。
しかしながら、特許文献１に開示のトレーニング装置は、スキー板あるいはスノーボードのエッジ立ての感覚も考慮されているが、開示された構造は訓練者の足乗せ台が移動体に固定されているため、これでは雪上でのエッジ形成の過程を疑似することまでは困難である。上体の傾斜は、訓練者が自身で引き起こしが可能な程度に限定される。
【０００７】
特許文献２に開示のスキー練習装置も、訓練者は滑走姿勢を疑似体験することはできる。
しかしながら、特許文献１に開示のトレーニング装置と同様に上体の傾斜と復帰は訓練者が自身で引き起こしが可能な程度に限定される。
また、訓練者はストックの補助で、あるいはハンドルに掴まって姿勢の保持や復帰を行えるようになっている。
【０００８】
さらに、特許文献１や特許文献２に開示の練習装置の構造は複雑で、部品点数が多く、高コストであり、また、訓練者自身が簡単に設置できるものでもない。
【０００９】
なお、特許文献３に開示されたスキー、スノーボード等の練習具は、スキー、スノーボード等の進行方向とは直交する方向に傾けることでスキーやスノーボード等の雪上滑走具の板の“撓み（≒しなり）”あるいは“ねじり”や反発を利用したエッジ切換えやターニング（カービング）を疑似体験するとの説明がされているものである。
しかしながら、現実的な雪上滑走での雪上滑走具の挙動を凸状の形状を有する弾性体で形成した練習具でシミュレーションできるものではない。
【００１０】
本発明の目的は、スキー板やスノーボード等の雪上滑走具を履いて実際の雪上を滑走する際のエッジ立て、撓み（しなり）あるいはねじりの感覚を疑似体験することで、正しい雪上滑走技能の取得を可能とした雪上滑走スポーツ訓練装置を提供することにある。
【課題を解決するための手段】
【００１１】
上記目的を達成するため、本発明に係る雪上滑走スポーツ訓練用装置は、訓練者の足元を実際の雪原における滑走面の雪層と、この雪層に乗る雪上滑走手段（スキーやスノーボード）の動きとの相互作用をシミュレートして、出来るだけ実際の雪上滑走状況を体現させるように構成した。
【００１２】
以下、本発明に係る雪上滑走スポーツ訓練装置の代表的な構成を列挙する。
なお、本発明の理解を容易にするため、本発明の各構成に対応する実施例の構成を示す参照符号を付すが、本発明がこの参照符号を付した構成に限定されるものではないことは言うまでもない。
【００１３】
本発明に係る雪上滑走スポーツ訓練装置は、仮想滑走領域（１ｄ）を形成する表層を有する床部（１）と、前記仮想滑走領域（１ｄ）の中心部（１ｃ）を囲み当該中心部（１ｃ）から放射方向外側に設けられた複数のリードロープ固定手段（２：２ａ〜２ｄ）と、前記仮想滑走領域（１ｄ）の中心部（１ｃ）に登板する訓練者（４）の胴部周りに捲かれたリードロープ取付けベルト（６）と、前記リードロープ固定手段（２：２ａ〜２ｄ）のそれぞれに一端が固定され、他端が前記リードロープ取付けベルト（６）に固定される複数本のリードロープ（７：７ａ〜７ｄ）とを有し、
前記仮想滑走領域（１ｄ）を構成する表層は、滑り抵抗と平面方向及び厚み方向の弾性復元力が大きい疑似雪面部材（１ｂ）で構成されており、
前記訓練者（４）は雪上滑走板（スノーボード等）（５）を履き、訓練の初期状態では前記仮想滑走領域（１ｄ）の前記疑似雪面部材（１ｂ）に滑走面（雪上滑走板の裏面：雪面と対面する面）を接した立ち姿勢であり、
前記訓練者（４）の自らの体重移動で前記疑似雪面部材（１ｂ）に対して前記雪上滑走板（５）のエッジを立てるカービング訓練及び／又は停止訓練に伴う前記体重移動による姿勢傾斜を前記複数本のリードロープ（７：７ａ〜７ｄ）の弾性力で保持すると共に、前記疑似雪面部材（１ｂ）は、前記エッジを立てることによる当該エッジ（５ａ）が前記疑似雪面部材（１ｂ）に喰い込む雪面での現象と同様の疑似雪面圧縮溝（１１）を形成する。
【００１４】
本発明に係る雪上滑走スポーツ訓練装置において、「リードロープ」とは、訓練者の体の前後左右及び／あるいは上下の動きを、横方向あるいは斜め横方向／斜め上方向の周囲複数位置から制限的に束縛する弾性をもつ長尺の拘束手段であって、紐状、綱状、帯状等の形状を問わず、安全に訓練者を保持できる強度を備える素材で構成され、長さを調節する機構を備えることが好ましい。
また、リードロープの弾性は、リードロープ全体を弾性素材としても、リードロープを弾性素材と非弾性素材との結合で構成してもよく、弾性を持たせるものとして、天然および合成ゴム、金属、その他の無機材料や有機材料を使用することができる。
後述する本発明にかかる実施例においては、前記リードロープ（７：７ａ〜７ｄ）は、弾性紐材（７２：７２a〜７２ｄ）に非弾性の長さ調整手段（７１：７１a〜７１ｄ）を直列接続してなる。
前記長さ調整手段（７１：７１a〜７１ｄ）はワンタッチベルトであり、前記リードロープ（７：７ａ〜７ｄ）の全体長さを前記長さ調整手段（７１：７１a〜７１ｄ）で調整する。
なお、前記長さ調整手段（７１：７１ａ〜ｄ）は、ワンタッチベルトに限定されるものではなく、弾性紐材（７２：７２a〜７２ｄ）の弾性力を維持しつつリードロープ（７：７ａ〜７ｄ）の長さを調整することができ、該リードロープをリードロープ固定手段（２：２ａ〜２ｄ）あるいはリードロープ取付けベルトに安全に固定できるものであればよく、可撓性のものに限らず、強度のある硬性のものを採用することもできる。
【００１５】
前記床部（１）の平面視は、前記訓練者（４）の訓練運動の範囲に支障を及ぼさない面積の略矩形状であり、後述の実施例において、前記リードロープ固定手段（２：２ａ〜２ｄ）は、前記略矩形状の床部（１）の外周部に植立された柱状材である。
前記床部（１）は、水平に配置されるが、傾斜を設けた構成として、スキー場の傾斜雪面を疑似した構成とすることもできる。
傾斜を設けるにあたっては、あらかじめ、傾斜を設けた床部としてもよく、あるいは水平に配置された床部（１）をアジャスター等で任意に角度調整できる構成としてもよい。また、仮想滑走領域（１ｄ）のみ傾斜をつける構成としてもよい。さらに訓練中に任意に傾斜角を変更できる構成としてもよい。
これにより、訓練の習熟度に合わせて、雪面における様々な斜面における滑走をシミュレートできる。
【００１６】
また、本発明に係る雪上滑走スポーツ訓練装置は、前記リードロープ取付けベルト（６）が前記訓練者（４）の胴部周りで、その腰部近傍に捲かれた幅広の高強度靭性材（天然皮革材、高強度樹脂繊維材、等）で構成され、外周に前記リードロープ（７：７ａ〜７ｄ）の他端を取り付けるための係止手段（６２：６２a〜６２ｄ）を有する。この係止手段(６２：６２a〜６２ｄ)は前記リードロープ（７：７ａ〜７ｄ）の他端を着脱自在に取り付ける機能を有し、例えばカラビナあるいはロックフックなどの外れ難いフック金具を用いるのが好適である。なお、前記リードロープ（７：７ａ〜７ｄ）の他端をそのまま前記係止手段(６２：６２a〜６２ｄ)に結び付けることを排除しない。また、リードロープ取付けベルト（６）に直接リードロープ（７：７ａ〜７ｄ）を通して係止してもよく、手指で結びつけてもよい。
なお、リードロープ取付けベルト（６）は、リードロープ（７：７ａ〜７ｄ）を訓練者（４）に安全に取り付けるためのものであり、前記リードロープ（７：７ａ〜７ｄ）の他端を取り付ける機能を備えていればよく、胴部周りに装着するベルト型に限られず、登山やパラシュートに用いられるハーネスのような各種の安全ベルトに類似したものを始め、あらかじめリードロープ取付部を備えた練習着を用いることもでき、リードロープ取付けベルト（６）の形状や装着方法、リードロープ（７：７ａ〜７ｄ）の取付方法は適宜最適な任意の方法を選択することができる。
【００１７】
前記リードロープ固定手段（２：２ａ〜２ｄ）は前記した円柱状の柱状材に限らず、角柱状材でもよいし、室内であれば壁、天井、梁の一部であってよく、要は前記複数本のリードロープ（７：７ａ〜７ｄ）を訓練者（４）の周囲で横方向等に保持できるように張り渡すことができるものであればよい。
【００１８】
前記リードロープ（７：７ａ〜７ｄ）を構成する前記長さ調整手段（７１：７１a〜７１ｄ）は、前記リードロープ固定手段（２：２ａ〜２ｄ）側でもよいし、前記リードロープ取付けベルト（６）側であってもよい。
【００１９】
前記リードロープ固定手段（２：２ａ〜２ｄ）に固定され、訓練者（４）の装着するリードロープ取付けベルト（６）に取り付けられる前記リードロープ（７：７ａ〜７ｄ）は、一重でも二重で構成されてもよく、また、１リードロープ固定手段ごとに、それぞれ一本ずつ固定しても、複数本固定してもよい。
本発明の雪上滑走スポーツ訓練装置において、リードロープ（７：７ａ〜７ｄ）は、訓練者（４）の体重移動による姿勢傾斜を該リードロープ（７：７ａ〜７ｄ）の伸びの弾性力で保持し、かつ、傾斜後に該リードロープ（７：７ａ〜７ｄ）の弾性力による復元する力で訓練者（４）の体重移動を補助する作用を有するものである。
したがって、前記リードロープ（７：７ａ〜７ｄ）は、上記作用を実現可能な程度の弾性力と、耐久性を備える。
そして、訓練にあたり、例えば、通常の訓練の場合には、各リードロープ固定手段（２：２ａ〜２ｄ）ごとに、それぞれ１本のリードロープ（７：７ａ〜７ｄ）を固定して行い、弾性力を高めてスピード感を出した訓練の場合には、各リードロープ固定手段（２：２ａ〜２ｄ）ごとに、それぞれ複数のリードロープ（７：７ａ〜７ｄ）を固定し、訓練者（４）に装着するというような使い分けをすることで、弾性力に変化をもたらし、様々な練習効果を奏することができる構成となる。もちろん、弾性紐材（７２：７２a〜７２ｄ）を弾性力の高い素材に変更したり、長さを調整することでも実現可能である。
【００２０】
また、前記リードロープ（７：７ａ〜７ｄ）と平行に、又は前記弾性紐材（７２：７２a〜７２ｄ）と平行に、当該リードロープ（７）、又は当該弾性紐材（７２）の最大伸張長さより若干長く、前記訓練者（４）の転倒を阻止する長さの安全紐を備えることもできる。こうすることで、万が一、前記リードロープ等が断裂した際の前記訓練者（４）が床部やリードロープ固定手段に衝突するのを回避して安全を確保することができる。
【００２１】
前記仮想滑走領域（１ｄ）は、前記雪上滑走板（５）の動作領域のみに形成されていることを特徴とする。前記疑似雪面部材（１ｂ）は前記雪上滑走板（５）が動く領域、すなわち、前記雪上滑走板（５）が訓練者（４）の体重移動で前記床部（１）の前記疑似雪面部材（１ｂ）に食い込んで圧縮溝（１０）と同様の仮想の圧縮溝（１１）を形成するに十分な領域を確保する大きさの仮想滑走領域の中心部（１ｃ）とすればよい。
【００２２】
そして、本発明に係る雪上滑走スポーツ訓練装置における疑似雪面部材（１ｂ）は、前記雪上滑走板（５）のカービング走行等に伴う当該雪上滑走板（５）の長手方向の撓みも再現する。
【００２３】
後述する実施例において、前記仮想滑走領域（１ｄ）を構成する前記疑似雪面部材（１ｂ）は、所謂ノンスリップターフ（難滑人工芝）を採用している。
なお、前記疑似雪面部材（１ｂ）は、これに限られるものではなく、雪面と同様の抵抗力や復元力、滑走性を備える素材であればよい。
【００２４】
前記リードロープ（７：７ａ〜７ｄ）は、それらの弾性力（張力）が独立して可調整であり、前記雪上滑走板（５）の疑似進行方向の前方側にあるリードロープと後方側にあるリードロープの弾性力（張力）を変えることで前記疑似雪面部材（１ｂ）に疑似傾斜効果を持たせることができる。
【００２５】
また、前記リードロープ（７：７ａ〜７ｄ）は、それらの張力が独立して可調整であり、前記雪上滑走板（５）の疑似進行方向の前方右側（あるいは左側）にあるリードロープと後方右側（あるいは左側）にあるリードロープの弾性力（張力）を変えることで前記疑似雪面部材（１b）に疑似左右傾斜効果を持たせることができる。
【００２６】
前記リードロープ（７：７ａ〜７ｄ）の各一端は、前記複数のリードロープ固定手段（２：２ａ〜２ｄ）に対して上下方向に固定位置が独立して可調整であることが好ましい。
例えば、前記雪上滑走板（５）の疑似進行方向の前方側にあるリードロープと後方側にあるリードロープの上下の固定位置を変えることで前記疑似雪面部材（１ｂ）に疑似傾斜効果を持たせることができる。
【００２７】
前記リードロープ（７：７ａ〜７ｄ）の各一端は、前記複数のリードロープ固定手段（２：２ａ〜２ｄ）に対して上下方向に固定位置が独立して可調整であり、前記雪上滑走板（５）の疑似進行方向の前方右側（あるいは左側）にあるリードロープと後方右側（あるいは左側）にあるリードロープの固定位置を変えることで前記疑似雪面部材（１ｂ）に疑似左右傾斜効果を持たせることができる。
【００２８】
前記各調整を組み合わせることにより、前記疑似雪面部材（１b）に疑似うねり（undulation）効果を持たせることができる。
【００２９】
本発明は、上記の構成及び後述する実施例で説明される構成に限定されるものではなく、本発明の技術思想を逸脱することなく、種々の変更が可能である。
【発明の効果】
【００３０】
本発明によれば、訓練者は、スキーやスノーボード等の雪上滑走具を履いて実際の雪上を滑走する際のエッジ立て、撓み（しなり）あるいはねじりの感覚を疑似体験することができ、正しい雪上滑走技能の取得が容易となる。
また、体育設備や遊園設備などに本発明に係る雪上滑走スポーツ訓練用装置を設置して雪上滑走スポーツを安全に疑似体験させることもできる。
【図面の簡単な説明】
【００３１】
【図１】本発明に係る雪上滑走スポーツ訓練装置の１実施例を説明する全体俯瞰図である。
【図２】本発明に係る雪上滑走スポーツ訓練装置で訓練者が疑似的進行方向右側にリードロープに抗して体を倒してスノーボードのヒールエッジを立てた状態を説明する模式図である。
【図３】本発明に係る雪上滑走スポーツ訓練装置で訓練者がリードロープに抗して図２の状態からさらに体を右方向に傾斜させ、右ターン動作に移った状態を説明する模式図である。
【図４】本発明に係る雪上滑走スポーツ訓練装置で訓練者が疑似的進行方向左側にリードロープに抗して体を倒してスノーボードのヒールエッジを立てた状態を説明する模式図である。
【図５】本発明に係る雪上滑走スポーツ訓練装置で訓練者がリードロープに抗して図４の状態からさらに体を左方向に傾斜させ、左ターン動作に移った状態を説明する模式図である。
【図６】本発明に係る雪上滑走スポーツ訓練装置で訓練者が着用するリードロープ取付けベルトの一例を説明する斜視図である。
【図７】本発明に係る雪上滑走スポーツ訓練装置のリードロープ固定手段である柱状材とリードロープ固定部を説明する部分図である。
【図８】本発明に係る雪上滑走スポーツ訓練装置におけるエッジ溝の形成過程を説明する模式図である。
【発明を実施するための形態】
【００３２】
以下、本発明に係る雪上滑走スポーツ訓練用装置の実施形態について、実施例の図１乃至図８を参照して詳細に説明する。
【００３３】
図１は、本発明に係る雪上滑走スポーツ訓練装置の１実施例を説明する全体俯瞰図である。本発明に係る雪上滑走スポーツ訓練装置は、仮想滑走領域１ｄを形成する表層を有する床部１と、前記仮想滑走領域１ｄの中心部１ｃを囲んで当該中心部１ｃから放射方向外側に設けられた複数の柱状材からなるリードロープ固定手段２（２ａ、２ｂ、２ｃ、２ｄ）とを有する。床部１は基板１ａの上層に載置された疑似雪面部材１ｂで構成される。疑似雪面部材１ｂは仮想滑走領域１ｄを構成する。
【００３４】
図２は本発明に係る雪上滑走スポーツ訓練装置で訓練者が疑似的進行方向右側に弾性紐材７２ａ、７２ｂの弾性力に抗して体を倒し、スノーボード５のヒールエッジを立てた状態を説明する模式図で、訓練者４の胴周りにリードロープ７（７ａ、７ｂ、７ｃ、７ｄ）の弾性紐材７２（７２ａ、７２ｂ、７２ｃ、７２ｄ）が装着されている。
【００３５】
図３は本発明に係る雪上滑走スポーツ訓練装置で訓練者が弾性紐材７２ａ、７２ｂの弾性力に抗して図２の状態からさらに体を右方向に傾斜させ、右ターン動作に移った状態を説明する模式図である。
また、図４は本発明に係る雪上滑走スポーツ訓練装置で訓練者が疑似的進行方向左側に弾性紐材７２ｃ、７２ｄの弾性力に抗して体を倒してスノーボードのヒールエッジを立てた状態を説明する模式図である。
【００３６】
図５は本発明に係る雪上滑走スポーツ訓練装置で訓練者が弾性紐材７２ｃ、７２ｄの弾性力に抗して図４の状態からさらに体を左方向に傾斜させ、左ターン動作に移った状態を説明する模式図、図６は本発明に係る雪上滑走スポーツ訓練装置で訓練者が着用するリードロープ取付けベルトの一例を説明する斜視図、図７は本発明に係る雪上滑走スポーツ訓練装置のリードロープ固定手段である柱状材とリードロープ固定部を説明する部分図、そして図８は本発明に係る雪上滑走スポーツ訓練装置におけるエッジ溝の形成過程を説明する模式図である。
【００３７】
訓練者４は、スノーボード５を脚部に履き、その胴部周り（具体的は腰周り）にリードロープ取付けベルト６を捲いて前記仮想滑走領域１ｄの中心部１ｃに登板する。そして、リードロープ固定手段である柱状材２（２ａ、２ｂ、２ｃ、２ｄ）の固定部３（３ａ、３ｂ、３ｃ、３Ｄ）それぞれに一端が固定されたリードロープ７ａ、７ｂ、７ｃ、７ｄの各他端を訓練者４のリードロープ取付けベルト６に固定する。スノーボード５はブーツ固定具４ｃ、４ｄを有し、訓練者４のブーツ４ａ、４ｂを固定する。
【００３８】
仮想滑走領域１ｄを形成する表層は、スノーボード５などの雪上滑走具のエッジに対して高い滑り抵抗と平面方向及び厚み方向の復元力が大きい疑似雪面部材１ｂで構成されている。
本実施例において、この疑似雪面部材１ｂは、スノーボード５などの雪上滑走具の横移動時に立てられるエッジ（トウエッジ、ヒールエッジ）５ａに対して高い滑り抵抗を持ち、そのエッジ立て動作に対して雪と同様の圧縮溝を形成する人工芝（ノンスリップターフ）を用いている。このような人工芝は市販されている。
なお、本発明における疑似雪面部材１ｂは、前記人工芝に限定されるものではなく、同様の効果を奏する部材を採用でき、雪面に近い抵抗力、復元力、滑走性を備える部材であれば任意に採用することができる。
【００３９】
図２に示したように、訓練者４は、雪上滑走板５（以下、スノーボード５という）を履き、訓練の初期状態では前記仮想滑走領域１ｄの前記疑似雪面部材１ｂに滑走面（スノーボードの裏面：雪面と対面する面）を接した立ち姿勢をとる。訓練者４は、自らの体重移動で疑似雪面部材１ｂに対してスノーボード５のエッジを立てるカービング訓練及び／又は停止訓練に伴う体重移動による姿勢傾斜をリードロープ７ａ、７ｂの伸びの弾性力で保持する。疑似雪面部材１ｄ(１ｂ)は、スノーボード５のエッジ（トウエッジ、あるいはヒールエッジ）５ａを立てることによる当該エッジ５ａが疑似雪面部材１ｂに喰い込む雪面での現象である雪面圧縮溝１０と同様の疑似雪面圧縮溝１１を形成する（図８参照）。
【００４０】
本実施例において、リードロープ７（７ａ、７ｂ、７ｃ、７ｄ）は、弾性紐材７２（７２ａ、７２ｂ、７２ｃ、７２ｄ）に長さ調整部材７１（７１ａ、７１ｂ、７１ｃ、７１ｄ）を直列に接続して構成されている。長さ調整部材７１（７１ａ、７１ｂ、７１ｃ、７１ｄ）は、所謂、既知のワンタッチベルトであり、あらかじめ剣先（遊端）７３（７３ａ、７３ｂ、７３ｃ、７３ｄ）の手動操作（引っ張り操作等）でリードロープ７の長さを調整する。
【００４１】
図２において、Ｘ−Ｘは疑似雪面部材１ｂ（仮想滑走領域１ｄ）の横方向（訓練者から見た左右方向）、Ｙ−Ｙは疑似仮想進行方向を示す。訓練者４は、似進行方向右側にリードロープ７ａ、７ｂの弾性紐材７２ａ、７２ｂの弾性力に抗して体を倒し、スノーボード５のヒールエッジ５ａを疑似雪面部材１ｂに立てて（エッジ立て５ｂ）右ターンに入る直前の状態を説明する模式図である。訓練者４の胴周りにリードロープ７２ａ、７２ｂ、７２ｃ、７２ｄが装着されている。図において、弾性紐材７２ａ、７２ｂが伸び、弾性紐材７２ｃ、７２ｄは弛んでいる。
【００４２】
図３は本発明に係る雪上滑走スポーツ訓練装置で訓練者が弾性紐材に抗して図２の状態からさらに体を右方向に傾斜させ、右ターン（右カービング）動作に移った状態を説明する模式図である。訓練者４は、全体重をスノーボード５の面に対して垂直にかけている。弾性紐材７２ａ、７２ｂはさらに伸び、弾性紐材７２ｃ、７２ｄはさらに弛んでいる。この状態で、スノーボード５は符号５ｄに示したように滑走面（裏面）が外に凸となるよう撓みながら、図８に示す疑似雪面圧縮溝１１に沿って右ターン（右カービング）を行う。トウエッジによる滑走停止動作の場合も同様である。
【００４３】
図４は、訓練者４が疑似進行方向左側に弾性紐材に抗して体を倒し、スノーボード５のヒールエッジを疑似雪面部材１ｂに立てて（エッジ立て５ｂ）左ターンに入る直前の状態を説明する模式図である。訓練者４の胴周りにリードロープ７２ａ、７２ｂ、７２ｃ、７２ｄが装着されている。弾性紐材７２ｃ、７２ｄが伸び、弾性紐材７２ａ、７２ｂは弛んでいる。
【００４４】
図５は本発明に係る雪上滑走スポーツ訓練装置で訓練者が弾性紐材に抗して図４の状態からさらに体を左方向に傾斜させ、左ターン（左カービング）動作に移った状態を説明する模式図である。訓練者４は、全体重をスノーボード５の面に対して垂直にかけている。弾性紐材７２ｃ、７２ｄはさらに伸び、弾性紐材７２ａ、７２ｂはさらに弛んでいる。この状態で、スノーボード５は符号５eに示したように滑走面（裏面）が外に凸となるよう撓みながら、図８に示す疑似雪面圧縮溝１１に沿って左ターン（左カービング）を行う。ヒールエッジによる滑走停止動作の場合も同様である。
【００４５】
このように、訓練者４は、右ターン（右カービング）、左ターン（左カービング）、あるいは停止動作でのスノーボード５のエッジ立て５ｂの感覚、スノーボード５のトウヒール間の撓み５ｄ，５ｅの感覚を取得することができる。また、エッジを立てた停止動作も上記と同様にエッジ立てして滑走停止する感覚を疑似的に取得できる。
また、上記動作を連続して行うことにより、連続ターンにおける体重移動やスノーボード５のエッジ立ての動き、撓みの感覚等、雪上で練習しているかのごとく疑似練習ができる。
【００４６】
図６に示したリードロープ取付けベルト６は、訓練者の腰周りに装着する幅広の本体部６３と、本体部６３と二重になって訓練者の腰周りに装着し、或いは外すための着脱具６１と、本体部６３の周りに間隔を以って取り付けた複数のリードロープ係止手段６２（６２ａ、６２ｂ、６２ｃ、６２ｄ）で構成されている。図６の例では、リードロープ係止手段６２を周囲の４か所に取り付けているが、これに限るものではない。また、リードロープ取付けベルト６の全体構造も図示したものに限らず、リードロープ７を安全に訓練者４に装着することができるものを採用でき、胴部周りに装着するベルト型に限られず、登山やパラシュートに用いられるハーネスのような各種の安全ベルトに類似したものを始め、あらかじめリードロープ取付部を備えた練習着等を用いることもできる。
【００４７】
なお、本実施例におけるリードロープ取付けベルト６は、その材料として着脱具６１、本体部６３共に高強度靭性材（天然皮革材、高強度樹脂繊維材、等）で構成される。外周の係止手段６２（６２a〜６２ｄ）は、リードロープ７の他端を着脱自在に取り付ける構造であればよく、例えばカラビナなどを用いるのが好適であることは前記のとおりである。
【００４８】
図７は、本発明に係る雪上滑走スポーツ訓練装置のリードロープ固定手段である柱状材とリードロープ固定部を説明する部分図である。本実施例では、リードロープ７を構成するワンタッチ操作の長さ調整部材（ワンタッチ緊締ベルト）７１を柱状材の外周に捲いた固定部３に取り付けてある。固定部３はナイロン繊維やアラミド繊維などの織布あるいは皮革等で形成された強靭な素材で形成された保護帯３１の上に、同じくナイロン繊維やアラミド繊維などの織布あるいは皮革等の強靭な素材で形成された係止帯３２とからなる。
【００４９】
長さ調整部材７１は一端に剣先７１１aを有し、他端にバックル７１１ｂを取り付けてある。図１などに示した弾性紐材７２に通した剣先７１１ａを係止帯３２に通してバックル７１１ｂに締結する。この長さ調整部材７１（ワンタッチ緊締ベルト）７１は、剣先７１１aを操作することでワンタッチで長さを調整して保持するもので、市販されている。このような長さ調整部材７１でリードロープ全体の長さを調整できる。
【００５０】
また、リードロープ固定手段２は本実施例の円柱状の柱状材に限らず、角柱状材でもよいし、室内であれば壁、天井、梁の一部であってよい。要は、複数本のリードロープ７を訓練者４の周囲で横方向に保持できるように張り渡すことができるものであればよく、確実に訓練者４を保持できれば、４方向でなく、２方向、３方向であってもよく、さらに５方向以上であってもよい。リードロープ７を構成する前記長さ調整部材７１は、リードロープ７の側でもよいし、リードロープ取付けベルト６側であってもよい。
【００５１】
本発明の雪上滑走スポーツ訓練装置において、リードロープ７は、訓練者４の体重移動による姿勢傾斜を該リードロープ７の伸びの弾性力で保持し、かつ、傾斜後に該リードロープ７の弾性力による復元する力で訓練者４の体重移動を補助する作用を有するものである。
したがって、前記リードロープ７は、上記作用を実現可能な程度の弾性力と、耐久性を備える。
そのため、本実施例において前記リードロープ７は、長さ調整部材７１、弾性紐材７２ともに環状で構成され二重となっているが、十分な弾性力と耐久性が確保できれば一重で連結してもよい。
また、１リードロープ固定手段２ごとに、それぞれリードロープ７を一本ずつ固定しているが、１リードロープ固定手段２に複数本のリードロープ７を固定する構成とすることもできる。これによりさらに高い弾力性を確保でき、スピード感のあるシミュレートが可能となる。
なお、リードロープ７と平行に、又は弾性紐材７２と平行に、当該リードロープ７、又は当該弾性紐材７２の最大伸張長さより若干長く、訓練者４の転倒を阻止する長さの安全紐（図示せず）を備えることもできる。こうすることで、万が一、リードロープが断裂した際の訓練者４が床部やリードロープ固定手段に衝突するのを回避して安全を確保することができる。
【００５２】
図８を用いて本発明に係る疑似雪面部材１ｂの作用を実際の雪面での作用と比較して説明する。図８の（ａ）は実際の雪面でのスノーボードのエッジによる圧縮溝１０の模式断面である。参照符号８はゲレンデ等で、このゲレンデ等の上層に雪９が積層している。ここでは、スノーボード５で滑走し、ターンのために、あるいは停止のためにエッジ立て動作を行ったときのスノーボード５のトウ側のエッジ５ａの軌跡を示す。
【００５３】
スノーボード５には、訓練者の体重印加による加重が矢印Ａに示したようにスノーボードにかかった状態（５−１）でエッジ立てが始まる。（５−２）の状態は、訓練者の体重によるスノーボードの滑走面への加重印加が矢印Ｂ方向にかかり、トウ側のエッジ５ａによる雪９の押し込みが開始されて雪９の圧雪が始まる。雪９が圧縮されて（５−３）、雪面圧縮溝１０が形成され、この雪面圧縮溝１０からの反力とスノーボードの滑走面からの加重が均衡した状態でスノーボードの滑走面は雪面圧縮溝１０にガイドされてターン滑走が開始する。この作用がターン動作に連れて連続的に生じる。
【００５４】
図８の（ｂ）により本発明に係る疑似雪面部材１ｂでの作用を説明する。本発明に係る床部１は一般的な床材（木材、硬質樹脂材等）の基板１ａの上に疑似雪面部材１ｂを積層して構成される。疑似雪面部材１ｂは下層１ｂ１と上層１ｂ２からなる人工芝であり、殆どが合成樹脂で形成されて、最上層１ｂ３は多数の細い棒状で、全体として横方向、縦方向共に弾力を持ち、横方向に滑り難い形状と材料で形成されている。
前記床部１は、本実施例においては水平に配置されているが、傾斜を設けた構成として、スキー場の傾斜雪面を疑似した構成とすることもできる。
傾斜を設けるにあたっては、あらかじめ、傾斜を設けた床部としてもよく、あるいは水平に配置された床部１をアジャスター等で任意に角度調整できる構成とすることもできる。また、仮想滑走領域１ｄのみ傾斜をつける構成としてもよい。さらに訓練中に任意に傾斜角を変更できる構成とすることもできる。
このように、本発明にかかる雪上滑走スポーツ訓練装置は、訓練の習熟度に合わせて、雪面における様々な斜面における滑走をシミュレートできる。
【００５５】
スノーボード５によるターン動作が開始し（状態５−１）、最上層１ｂ３のなぎ倒しが始まる。スノーボード５がｔ１でエッジ５aを立て始めると（５−２）、最上層の押し倒しと上層１ｂ２の圧縮が生じる。押し倒された最上層１ｂ３は時間ｔ２で密集した押し込みが生じ（状態５−３）、スノーボード５の加重（矢印Ｃ）に拮抗する反力が発生する。さらに、スノーボード５には図３や図５で説明した撓みが発生する。その結果、エッジ５ａが時間ｔ１からｔ２にかけて生じるスノーボード５のエッジ５ａの滑りと撓みの感覚が体感できることになる。
【００５６】
なお、図１に示した仮想滑走領域１ｄは主として中央領域１ｃであり、スノーボード５の動作領域のみに形成することもできる。疑似雪面部材１ｂはスノーボード５などが動く領域（訓練運動の領域）、すなわち、スノーボード５が訓練者４の体重移動で床部１の疑似雪面部材１ｂに喰い込んで図８（ａ）で説明した圧縮溝１０によるものに相当する仮想のエッジ５ａの滑りと撓みを形成するに十分な領域を確保する大きさの仮想滑走領域の中心部１ｃとすればよい。
【００５７】
このように、本実施例により、疑似雪面部材１ｂはスノーボード５のターン（カービング）走行や停止動作等に伴う当該スノーボード５の長手方向の撓みも体感することができる。
【００５８】
前記仮想滑走領域１ｄを構成する前記疑似雪面部材１ｂは、前記したように、市販されている所謂ノンスリップターフ（難滑人工芝）を用いることができるため、本発明の装置を低コストで製作できる。
【００５９】
また、複数のリードロープの弾性力（張力）を独立して調整可能としたことで、スノーボードなどの雪上滑走板の疑似進行方向の前方側にあるリードロープと後方側にあるリードロープの弾性力（張力）を変えることで疑似雪面部材に疑似傾斜効果を持たせることができる。
【００６０】
リードロープの弾性力（張力）を独立して調整可能としたことで、スノーボードなどの雪上滑走板の疑似進行方向の前方右側（あるいは左側）にあるリードロープと後方右側（あるいは左側）にあるリードロープの弾性力（張力）を変えることで前記疑似雪面部材（１ｂ）に疑似左右傾斜効果を持たせることができる。
【００６１】
リードロープの各一端を複数のリードロープ固定手段に対して上下方向に固定位置を独立して調整可能としたことで、スノーボードなどの雪上滑走板の疑似進行方向の前方側にあるリードロープと後方側にあるリードロープの固定位置を変えて疑似雪面部材に疑似傾斜効果を持たせることができる。
【００６２】
リードロープの各一端を複数のリードロープ固定手段に対して上下方向に固定位置を独立して調整可能としたことり、スノーボードなどの雪上滑走板の疑似進行方向の前方右側（あるいは左側）にあるリードロープと後方右側（あるいは左側）にあるリードロープの固定位置を変え、疑似雪面部材に疑似左右傾斜効果を持たせることができる。
【００６３】
そして、上記したリードロープの弾性力（張力）と固定位置のバリエーションを組み合わせることで、疑似雪面部材に疑似うねり（undulation）効果を持たせて不整なゲレンデでの滑走をシミュレートすることができ、本格的な練習も実現できる。
【００６４】
上記した実施例では、スノーボードを例として説明したが、本発明はスキーなどの雪上滑走スポーツの訓練にも同様に適用できるものである。
【符号の説明】
【００６５】
１    床部
１ａ  基板
１ｂ  疑似雪面部材
１ｃ  仮想滑走領域の中心部
１ｄ  仮想滑走領域
２    リードロープ固定手段
３    固定部
４    訓練者
５    スノーボード
５ａ  エッジ
５ｂ  エッジ立て
５ｄ、５ｅ    撓み
６    リードロープ取付けベルト
７    リードロープ
８    ゲレンデ等
９    雪
１０  雪面圧縮溝
１１  疑似雪面圧縮溝
【図１】
2019013568.tif 000003
【図２】
2019013568.tif 000004
【図３】
2019013568.tif 000005
【図４】
2019013568.tif 000006
【図５】
2019013568.tif 000007
【図６】
2019013568.tif 000008
【図７】
2019013568.tif 000009
【図８】
2019013568.tif 000010